(57)【特許請求の範囲】
【請求項１】
箱型の納骨室を形成する壁部の少なくとも左右両側壁部、前壁部、後壁部、下壁部、及び上壁部が、石材からなる外壁と、前記外壁から僅かに間隔を空けて接着固定された内壁とを備え、
前記外壁と前記内壁との間に空隙による断熱層が設けられていることを特徴とするカロート。
【請求項２】
前記納骨室の上部に開口部が形成されており、前記開口部は前記壁部の一部を構成する取り外し可能な蓋で塞がれていることを特徴とする請求項１に記載のカロート。
【請求項３】
前記外壁と内壁は前記スペーサを介して耐震ボンドで接合されていることを特徴とする請求項１に記載のカロート。
【請求項４】
前記外壁と内壁は異種の材料で構成されていることを特徴とする請求項１乃至３のいずれか１項に記載のカロート。
【請求項５】
前記外壁及び内壁のそれぞれに、外部光を前記納骨室内に導入する貫通孔からなる光導入用孔を有しており、前記各光導入用孔を密封するように前記光導入用孔のそれぞれに挿入固定された透明体とを備えることを特徴とする請求項１乃至４のいずれか１項に記載のカロート。
【請求項６】
前記壁部の底壁部上に設置される骨壷置き台を備え、１０〜３０ルクス程度の明るさの外部光を、前記骨壷置き台上に載置される骨壷の背後と前記骨壷置き台の周囲との少なくとも一方から、間接照明で前記納骨室内に導入するように構成したことを特徴とする請求項５に記載のカロート。
【請求項７】
箱型の納骨室を形成する壁部の少なくとも一部が、石材からなる外壁と、前記外壁から僅かに間隔を空けて接着固定された内壁とを備え、前記外壁と前記内壁との間に空隙による断熱層が設けられており、
前記納骨室は上部の開口部を有し、前記左右の側壁部および後壁部の上端内周部には、前記外壁と内壁の接合部を隠すための飾り板が、前記左右の側壁部および後壁部の上端面とそれぞれ同一面を形成するようにそれぞれ固定されていることを特徴とするカロート。
【請求項８】
前記外壁及び内壁の一部に、外部光を前記納骨室内に導入する貫通孔からなる光導入用孔と、前記光導入用孔を密封するように前記光導入用孔に挿入固定された透明体とを備えることを特徴とする請求項７に記載のカロート。
【請求項９】
前記壁部の底壁部上に設置される骨壷置き台を備え、１０〜３０ルクス程度の明るさの外部光を、前記骨壷置き台上に載置される骨壷の背後と前記骨壷置き台の周囲との少なくとも一方から、間接照明で前記納骨室内に導入するように構成したことを特徴とする請求項８に記載のカロート。
【請求項１０】
請求項１乃至９のいずれか一つに記載されたカロートと、前記カロート上に載置される墓石とを備えたことを特徴とする墓。
【発明の詳細な説明】
【技術分野】
【０００１】
本発明は、地盤上に設置される地上カロート（納骨堂）と呼ばれるカロートおよびカロートを備えた墓に関する。
【背景技術】
【０００２】
お墓の起源は、お釈迦様の遺骨をまつった仏塔に始まるといわれ、仏教が日本に広まり、遺族や武士、僧侶等の石塔が墓地に建てられるようになったのは平安時代からで、庶民が墓を持つようになったのは江戸時代以降のことのようである。仏教では、万物は流転し、自然から生まれたものは、自然に帰ると考えられています。ですから、遺骨を埋葬し、土に帰してあげるのです。民族学的にはお墓の起源は、「石」で死者がよみがえらないように重りの役目をしていたという説が一般的に知られています。
【０００３】
従来、お墓のカロートとして、例えば特許文献１に記載されたものが知られている。この従来のカロートは、底面に水切りを施し上面が開いたコンクリート枠で構成される。このコンクリート枠は、墓石下に埋設され、このコンクリート枠の上面開口の約半分を墓石 により、残りを蓋板で閉塞した箱体である。コンクリート枠の内部空間には、棚板が形成されていると共に、この棚板の上面に畳、板の間等を模したシート状の床装飾体が設けられている。また、その棚板の上方における内壁面に、土壁、板壁、障子、襖、窓、床の間、或いはこれらを組み合わせたものを模したシート状の壁装飾体が貼着され、その棚板上の床装飾体の上に骨壷が載置される。
【０００４】
また、近年の一般的なカロートは、御影石などの石材で箱型になっており、このカロートの上に洋型或いは和型の墓石が載置される。
【特許文献１】特開２００６−２９１５３３号公報
【発明の開示】
【発明が解決しようとする課題】
【０００５】
ところで、上記特許文献１に記載された従来のカロートや、御影石などの石材で箱型になったカロートでは、納骨後に長期間が経過すると、箱型のカロートを形成するコンクリート枠や御影石の内壁面がカロート内と外との温度差により、結露などで汚れてしまい、納骨などの際にカロートを開けたとき、カロート内部が汚れていて印象が悪いという問題があった。
【０００６】
これまでは、お墓の墓石やカロートを製造する石材メーカなどの業界では、お墓のカロートは、死者の霊を閉じ込めるための物であるという考え方が強く、カロート内部の美観などには全く配慮されていないのが実状である。
【０００７】
世の中には、身内の大事な人が亡くなった場合、その故人の遺骨を結露などで汚れたきたない環境のカロートに入れたくないので、自分の近くに置きたいと思う人が多くいるので、カロート内部が綺麗であるのが望ましい。
【０００８】
そこで、このような実状および要望に鑑みて、本願の発明者は、以下のような理念に基づき、本発明に係るカロートの開発に臨んだ。
【０００９】
（１）「自分自身が入る納骨室（カロート）」
お参りするためのお墓という概念に加えて、自分自身が永遠に居る空間という概念を納骨室に持たせた。
【００１０】
（２）「清潔で美しく居心地の良い納骨環境」
納骨室は基礎の一部・閉じ込めるイメージ・収納場所・汚れている場所という、実状に目を背けてきた従来のお墓に、魅力のある納骨室という選択肢を増やし、将来自分が安心して入る・居るというお墓の新しい文化を提供する。
【００１１】
（３）「お骨は土に還らず永遠に存在する」
死後、肉体は消え魂だけが残るように考えられている事が多いが、実際にはお骨は樹木葬や散骨などでなければ、通常は土に直接お骨を埋葬することもなく、陶器の骨壷に入れて納骨するので、お骨は肉体の一部として永遠に納骨室に残る。
【００１２】
（４）「自分の考え方にあったお墓」
一族のお墓から、個人・夫婦・核家族だけのお墓を建墓する時代へ変化してきており、親戚・他人の目を意識して高価で立派なお墓を建てる事よりも、自分の納得のいくお墓を望まれる方が増えている。
【００１３】
また、生前に自分のお墓を用意する文化が一般的になってきた今日、自分が入るという意識で自分が納得のいくお墓を建墓することも多くなってきた。
【００１４】
本発明は、このような従来の問題点および実状に鑑みてなされたもので、その目的は、内部が結露などで汚れるのを抑制でき、長期間にわたって内部の美観を保つことができ、カロート内部を居心地の良い空間として故人の霊および自分に対して心のこもった温かみのあるカロートおよびカロートを備えた墓を提供することにある。
【課題を解決するための手段】
【００１５】
上記課題を解決するために、本発明の第１の態様に係るカロートは、箱型の納骨室を形成する壁部の少なくとも左右両側壁部、後壁部、下壁部、及び上壁部が、石材からなる外壁と、前記外壁から僅かに間隔を空けて接着固定された内壁とを備え、前記外壁と前記内壁との間に空隙による断熱層が設けられていることを特徴とする。
【００１６】
この態様によると、箱型の納骨室を形成する壁部の少なくとも左右両側壁部、後壁部、下壁部、及び上壁部を、石材からなる外壁と該外壁に固定された内壁との間に空隙を有する２重壁構造としたので、カロート内壁全体が結露しにくくなり、カロート内部が結露などで汚れるのを抑制することができる。また、長期間にわたって内部の美観を保つことができる。これにより、カロート内部を居心地の良い空間として故人の霊および自分に対して心のこもった温かみのある内部の美しいカロートを実現できる。
特にこの態様では、左右の両側壁部のみならず、上壁部と下壁部においても外壁と内壁との間に設けた空隙の空気による断熱層によりカロート内壁への熱の伝達を遮断するので、カロート全体において、外部の温度が壁部を介してカロート内部に伝わりにくくなり、四季を通じての外部温度の変化による影響を受けにくくなる。これにより、より一層結露しにくくなるので、カロート内部が結露などで汚れるのをさらに抑制することができ、さらに長期間にわたって内部の美観を保つことができる。
【００１７】
なお、この明細書では、骨壷が収納される箱型の納骨室を有する構造物を「カロート」と呼ぶ。また、「壁部」とは、周壁部、底壁部および上壁部を含み意味で用いる。
【００１８】
本発明の他の態様に係るカロートは、前記納骨室の上部に開口部が形成されており、前記開口部は前記壁部の一部を構成する取り外し可能な蓋で塞がれていることを特徴とする。
【００２２】
本発明のカロートは、前記外壁と内壁が前記スペーサを介して耐震ボンドで接合されていることを特徴とする。
【００２３】
この態様によると、地震に対しても強度のある、より堅牢なカロートを実現できる。
【００２４】
本発明の他の態様に係るカロートは、前記外壁と内壁は異種の材料で構成されていることを特徴とする。
【００２５】
この態様によると、壁部の外壁と内壁を、例えば異種の石材で構成することで、外壁と内壁を同種の石材で構成した場合と比べて、カロート外部の温度が壁部を介してカロート内部により伝わりにくくなり、四季を通じての外部温度の変化による影響を受けにくくなる。これにより、より一層結露しにくくなるので、カロート内部が結露などで汚れるのをさらに抑制することができ、さらに長期間にわたって内部の美観を保つことができる。また、外壁の石材として例えば堅牢な御影石を用い、内壁の石材として例えば大理石を用いることで、堅牢でかつカロート内部が優れた美感のあるカロートを実現できる。また、大理石などの石材を用いた内壁にモザイクのようなデザインを施すことで、冷たいイメージではなく、故人の霊および自分に対して心のこもった温かみのある内部の美しいカロートを実現できる。
また、例えば、内壁として用いる石材以外の素材の種類・材質・色などを適宜選択することで、カロート内部が優れた美感のあるカロートを実現できると共に、デザイン選択の自由度が増える。なお、ここにいう「石材以外の素材」は、建物等に用いられる木材や樹脂で作られた内装材、木材製や樹脂製のボードの表面に壁紙などの装飾用紙を貼り付けたもの、タイル、などの各種内装材が含まれる意味で用いる。
【００２６】
本発明の他の態様に係るカロートは、前記外壁及び内壁のそれぞれに、外部光を前記納骨室内に導入する貫通孔からなる光導入用孔を有しており、前記各光導入用孔を密封するように前記光導入用孔のそれぞれに挿入固定された透明体とを備えることを特徴とする。
世の中には、身内の大事な人、特に幼い子どもが亡くなった場合、その故人の遺骨を真っ暗で冷たいイメージのあるカロートに入れたくないので、自分の近くに置きいたいと思う人が多くいるので、カロート内部にある程度の明るさがあるのが望ましい。
【００２７】
この態様によると、真っ暗で冷たいイメージのあるカロート内部に外部光を取り入れることで、カロート内部がある程度の明るさのある環境になるので、冷たいイメージではなく、故人の霊および自分に対して心のこもった温かみのある内部の美しいカロートを実現できる。また、透明体は、光導入用孔を密封するように光導入用孔に固定されているので、カロート外部の塵、ほこり、ゴミなどが光導入用孔からカロート内部に侵入するのを防止できる。
なお透明体としては、例えば強化ガラスを使用することができる。
【００２８】
本発明の他の態様に係るカロートは、前記壁部の底壁部上に設置される骨壷置き台を備え、１０〜３０ルクス程度の明るさの外部光を、前記骨壷置き台上に載置される骨壷の背後と前記骨壷置き台の周囲との少なくとも一方から、間接照明で前記納骨室内に導入するように構成したことを特徴とする。
この態様によると、納骨室内を、睡眠を促す明るさといわれる１０〜３０ルクス程度の適度な明るさにすることができる。これにより、故人の霊および自分に対して心のこもった温かみのある内部の美しいカロートを実現できる。
【００３２】
本発明の他の態様に係るカロートは、箱型の納骨室を形成する壁部の少なくとも一部が、石材からなる外壁と、前記外壁から僅かに間隔を空けて接着固定された内壁とを備え、前記外壁と前記内壁との間に空隙による断熱層が設けられており、前記納骨室は上部の開口部を有し、前記左右の側壁部および後壁部の上端内周部には、前記外壁と内壁の接合部を隠すための飾り板が、前記左右の側壁部および後壁部の上端面とそれぞれ同一面を形成するようにそれぞれ固定されていることを特徴とする。
【００３３】
この態様によると、飾り板が無いと、納骨室を上から見た状態で外壁と内壁の接合部が見えて見映えが悪いが、その接合部が飾り板で隠れるので、上から見た際の見映えが良くなると共に、飾り板を設けたことでカロートの補強にもなるので、より堅牢なカロートを実現できる。
【００３４】
本発明の他の態様に係るカロートは、前記外壁及び内壁の一部に、外部光を前記納骨室内に導入する貫通孔からなる光導入用孔と、前記光導入用孔を密封するように前記光導入用孔に挿入固定された透明体とを備えることを特徴とする。 
【００３７】
世の中には、身内の大事な人、特に幼い子どもが亡くなった場合、その故人の遺骨を真っ暗で冷たいイメージのあるカロートに入れたくないので、自分の近くに置きいたいと思う人が多くいるので、カロート内部にある程度の明るさがあるのが望ましい。
【００３８】
この態様によると、真っ暗で冷たいイメージのあるカロート内部に外部光を取り入れることで、カロート内部がある程度の明るさのある環境になるので、冷たいイメージではなく、故人の霊および自分に対して心のこもった温かみのある内部の美しいカロートを実現できる。また、透明体は、光導入用孔を密封するように光導入用孔に固定されているので、カロート外部の塵、ほこり、ゴミなどが光導入用孔からカロート内部に侵入するのを防止できる。
【００３９】
なお、透明体は、例えば強化ガラスである。
【００４０】
本発明の他の態様に係るカロートは、前記壁部の底壁部上に設置される骨壷置き台を備え、１０〜３０ルクス程度の明るさの外部光を、前記骨壷置き台上に載置される骨壷の背後と前記骨壷置き台の周囲との少なくとも一方から、間接照明で前記納骨室内に導入するように構成したことを特徴とする。
【００４１】
この態様によると、納骨室内を、睡眠を促す明るさといわれる１０〜３０ルクス程度の適度な明るさにすることができる。これにより、故人の霊および自分に対して心のこもった温かみのある内部の美しいカロートを実現できる。
【００４２】
この発明の第１の態様に係る墓は、上記態様のいずれか一つに記載されたカロートと、前記カロート上に載置される墓石とを備えたことを特徴とする。
【００４３】
この態様によると、カロート内部で結露しにくくカロート内部が結露などで汚れるのを抑制することができ、長期間にわたってカロート内部の美観を保つことができ、故人の霊および自分に対して心のこもった温かみのある内部の美しいカロートを備えた墓を実現できる。
【発明の効果】
【００４４】
請求項１に記載の発明によれば、内部が結露などで汚れるのを抑制でき、長期間にわたって内部の美観を保つことができ、カロート内部を居心地の良い空間として故人の霊および自分に対して心のこもった温かみのあるカロートを実現できる。
【００４５】
請求項１２に記載の本発明によれば、カロート内部で結露しにくくカロート内部が結露などで汚れるのを抑制することができ、長期間にわたってカロート内部の美観を保つことができ、故人の霊および自分に対して心のこもった温かみのある内部の美しいカロートを備えた墓を実現できる。
【発明を実施するための最良の形態】
【００４６】
本発明を具体化した各実施形態を図に基づいて説明する。なお、各実施形態の説明において、同様の部位には同一の符号を付して重複した説明を省略する。
（第１の実施形態）
本発明の第１実施形態に係るカロートとこのカロートを備えた墓を、図１乃至図５に基づいて説明する。図１は第１実施形態に係るカロートを備えた墓の全体を示している。図２は図１に示す墓の中央部に沿った縦断面図であり、図３は墓の墓石と拝石と飾り板を外した状態で図１に示すカロートを上から見た平面図である。また、図４は図３のＡ−Ａ矢視断面図であり、図５は第１実施形態に係るカロートを示す斜視図である。
【００４７】
図１および図２に示すように、墓１は、カロート２と、カロート２上にそれぞれ載置された墓石３および拝石４とを備えている。墓石３は、芝台５と、芝台５上に固定された竿石６とを備えている。芝台５の左右上部には、花筒７がそれぞれ設けられている。
【００４８】
カロート２は、図２乃至図５に示すように、箱型の納骨室８を形成する壁部として、底壁部９と、左右の側壁部１０、１１と、後壁部１２と、前蓋１３とを備えている。
【００４９】
底壁部９は、御影石などの石材で構成されている。納骨室８の正面、つまりカロート２の正面には開口部１４が形成されている。この開口部１４は、納骨室８を形成する壁部の一部を構成する取り外し可能な前蓋１３で塞がれている。
【００５０】
そして、本実施形態では、前蓋１３と共に納骨室８の周壁を形成する左右の側壁部１０，１１および後壁部１２がそれぞれ外壁と内壁とを有する２重壁構造となっている。
【００５１】
左の側壁部１０は、図３および図４に示すように、第１の石材、例えば御影石で構成された外壁１５と、外壁１５に固定され第２の石材、例えば大理石で構成された内壁１６とを有する２重壁構造となっている。外壁１５と内壁１６の間には、断熱層としての空気層１７が設けられている。外壁１５と内壁１６の間に所定の間隔の空気層１７を設けるために、外壁１５の内面と内壁１６の外面との間には複数のスペーサ（図示省略）を配置して接着剤、例えば耐震ボンドで外壁１５と内壁１６を接合してある。
【００５２】
右の側壁部１１は、第３および図４に示すように、第１の石材、例えば御影石で構成された外壁１８と、外壁１８に固定され第２の石材、例えば大理石で構成された内壁１９とを有する２重壁構造となっている。外壁１８と内壁１９の間には、断熱層としての空気層２０が設けられている。外壁１８と内壁１９の間に所定の間隔の空気層２０を設けるために、外壁１８の内面と内壁１９の外面との間には複数のスペーサ（図示省略）を配置して接着剤、例えば耐震ボンドで外壁１８と内壁１９を接合してある。
【００５３】
そして、後壁部１２は、図２および図３に示すように、第１の石材、例えば御影石で構成された外壁２１と、外壁２１に固定され第２の石材、例えば大理石で構成された内壁２２とを有する２重壁構造となっている。外壁２１と内壁２２の間には、断熱層としての空気層２３が設けられている。外壁２１と内壁２２の間に所定の間隔の空気層２３を設けるために、外壁２１の内面と内壁２２の外面との間には複数のスペーサ（図示省略）を配置して接着剤、例えば耐震ボンドで外壁２１と内壁２２を接合してある。
【００５４】
また、図５に示すように、左右の側壁部１０、１１の外壁１５、１８には、前蓋１３の左右の端部を摺動可能に案内するためのガイド溝１０ａ，１１ａがそれぞれ形成されている。これによって、前蓋１３が取外し可能になっている。
【００５５】
また、図２，図４および図５に示すように、カロート２の納骨室８は上部の開口部２４を有している。左右の側壁部１０、１１および後壁部１２の上端内周部には、各壁部１０、１１、１２の外壁１５，１８，２１と内壁１６，１９，２２の各接合部を隠すための飾り板２５、２６、２７が、各壁部１０、１１、１２の上端面とそれぞれ同一面を形成するようにそれぞれ接着剤、例えば耐震ボンドで接合されている。
【００５６】
つまり、飾り板２５は、左の側壁部１０の外壁１５と内壁１６の接合部を隠している。また、飾り板２６は、右の側壁部１１の外壁１８と内壁１９の接合部を隠している。そして、飾り板２７は、後へ基部１２の外壁２１と内壁２２の接合部を隠している。
【００５７】
このような構成を有するカロート２は、図２乃至図４に示すように、地盤３０上に形成したコンクリート製の基礎３１の上に設置される。また、図１および図２に示すように、カロート２の各壁部１０、１１、１２の上端面には、カロート２の納骨室８の上部の開口部２４の略半分を塞ぐように墓石３の芝台５が載置されていると共に、その上部の開口部２４の残りの部分を塞ぐように、拝石４が載置されている。
【００５８】
また、本実施形態では、底壁部９上に骨壷３３が置かれる。
【００５９】
以上のように構成された第１実施形態によれば、以下の作用効果を奏する。
【００６０】
○前蓋１３と共に箱型の納骨室８の周壁を形成する左右の側壁部１０，１１および後壁部１２全体を外壁１５、１８、２１と内壁１６、１９、２２とを有する２重壁構造にしたので、カロート２内部で結露しにくくなり、カロート２内部が結露などで汚れるのを抑制することができる。また、長期間にわたってカロート２内部の美観を保つことができ、故人の霊および自分に対して心のこもった温かみのある内部の美しいカロート２を実現できる。
【００６１】
○左の側壁部１０の外壁１５と内壁１６の間には、空気層１７が設けられている。右の側壁部１１の外壁１８と内壁１９の間には、空気層２０が設けられている。そして、後壁部１２の外壁２１と内壁２２の間に、空気層２３が設けられている。このように、左右の側壁部１０，１１および後壁部１２では、外壁と内壁との間にそれぞれ設けた空気層１７、２０、２３の断熱効果により熱が遮断されるので、カロート２外部の温度が各壁部を介してカロート２内部に伝わりにくくなり、四季を通じての外部温度の変化による影響を受けにくくなる。これにより、より一層結露しにくくなるので、カロート２内部が結露などで汚れるのをさらに抑制することができ、さらに長期間にわたって内部の美観を保つことができる。
【００６２】
○左右の側壁部１０，１１および後壁部１２を、石材で構成された各外壁１５、１８、２１と石材で構成された各内壁１６、１９、２２とを有する２重壁構造としたので、内部が結露などで汚れるのを抑制することができ、長期間にわたって内部の美観を保つことができる。また、内壁の石材、例えば大理石にモザイクのようなデザインを施すことで、カロート２内部のデザイン選択の自由度が増す。
【００６３】
○左右の側壁部１０，１１および後壁部１２の各外壁１５、１８、２２と各内壁１６、１９、２２を異種の石材で構成することで、カロート２外部の温度が各壁部を介してカロート２内部に伝わりにくくなり、四季を通じての外部温度の変化による影響を受けにくくなる。これにより、より一層結露しにくくなるので、カロート２内部が結露などで汚れるのをさらに抑制することができ、さらに長期間にわたって内部の美観を保つことができる。
【００６４】
○各外壁１５、１８、２２の石材として例えば堅牢な御影石を用い、各内壁１６、１９、２２の石材として例えば大理石を用いることで、堅牢でかつカロート２内部が優れた美感のあるカロート２を実現できる。
【００６５】
○大理石などの石材を用いた各内壁１６、１９、２２にモザイクのようなデザインを施すことで、冷たいイメージではなく、故人の霊および自分に対して心のこもった温かみのある内部の美しいカロート２を実現できる。
【００６６】
○左右の側壁部１０、１１および後壁部１２の上端内周部には、各壁部１０、１１、１２の外壁と内壁の接合部を隠すための飾り板２５、２６、２７が、各壁部１０、１１、１２の上端面とそれぞれ同一面を形成するように接合されている。これにより、各壁部における外壁と内壁の接合部が飾り板２５、２６、２７で隠れるので、上から見た際の見映えが良くなると共に、飾り板を設けたことでカロート２の補強にもなるので、より堅牢なカロートを実現できる。
【００６７】
○左右の側壁部１０，１１および後壁部１２の各外壁１５、１８、２２と各内壁１６、１９、２２は耐震ボンドで接合されているので、地震に対しても強度のある、より堅牢なカロート２を実現できる。
（第２の実施形態）
次に、本発明の第２実施形態に係るカロートとこのカロートを備えた墓を、図６乃至図１０に基づいて説明する。図６は第２実施形態に係るカロートを備えた墓の中央部に沿った縦断面図である。図７は図６のＢ−Ｂ矢視断面図、図８は図６のＣ−Ｃ矢視断面図、図９は図７のＤ−Ｄ矢視断面図、図１０は図６のＥ−Ｅ線に沿った断面図、そして、図１１は  図７のＦ−Ｆ線に沿った断面図である。
【００６８】
第２実施形態に係るカロート２は、以下の構成に特徴がある。
（１）上記第１実施形態では、前蓋１３と共に納骨室８の周壁を形成する左右の側壁部１０，１１および後壁部１２がそれぞれ外壁と内壁とを有する２重壁構造となっている。これに対して、第２実施形態では、納骨室８の周壁を形成する壁部全体が２重壁構造になっている。
（２）カロート２内部に外部光を取り入れて、カロート２内部がある程度の明るさのある環境にしている。
【００６９】
具体的には、第２実施形態に係るカロート２では、図６に示すように、左右の側壁部１０，１１および後壁部１２がそれぞれ外壁と内壁とを有する２重壁構造となっているのに加えて、前蓋１３の内側にも内壁４０を設けて、納骨室８の周壁を形成する壁部全体を２重壁構造にしている。内壁４０は、第２の石材、例えば大理石で構成されており、前蓋１３と内壁４０の間には、断熱層としての空気層４１が設けられている。
【００７０】
また、本実施形態に係るカロート２は、納骨室８の底部全体を覆う大きさの底壁部５０を備えている。この底壁部５０と基礎３１の間に断熱層としての空気層５１が形成されている。これによって、納骨室８を形成する壁部の底壁部５０も、２重壁構造になっている。
【００７１】
また、上記第１実施形態では、カロート２の各壁部１０、１１、１２の上端面には、カロート２の納骨室８の上部の開口部２４の略半分を塞ぐように墓石３の芝台５が直接に載置されていると共に、その上部の開口部２４の残りの部分を塞ぐように、拝石４が直接に載置されている（図２参照）。これに対して、本実施形態に係るカロート２は、図６に示すように、納骨室８の上部の開口部２４全体を覆う上壁部を構成する２つの上壁５２，５３を備えている。上壁５２，５３は、左右の側壁部１０、１１および後壁部１２の上端内周部上に載置されるようになっている（図６，図７参照）。また、上壁５２，５３は、左右の側壁部１０、１１および後壁部１２の上端内周部上に載置した際に、各壁部１０、１１、１２の上端面とそれぞれ同一面を形成するような厚さに形成されている。そして、上壁５２と拝石４との間および上壁５３と芝石５の間には、それぞれ空気層５４が形成されるようになっている。これにより、納骨室８を形成する壁部の上壁部も、２重壁構造になっている。
【００７２】
また、本実施形態では、カロート２内部に外部光を取り入れるために、カロート２は以下のような構成を有する。
【００７３】
底壁部５０上には、図６に示すように、２枚のガラス板６０，６１が所定の間隔で固定されている。２枚のガラス板６０，６１上に、骨壷置き台６２が固定されている。これにより、２枚のガラス板６０，６１と骨壷置き台６２と底壁部５０とにより、隙間６３が形成されている（図６，図９参照）。
【００７４】
左右の側壁部１０、１１および後壁部１２のそれぞれに、外部光を納骨室８内に導入する光導入用孔と、光導入用孔を密封するように光導入用孔に固定された透明体としての強化ガラスとが設けられている。
【００７５】
左の側壁部１０の外壁１５および内壁１６には、図７および図９に示すように、隙間６３に通じる光導入用孔６４および光導入用孔６５がそれぞれ３つずつ形成されている。３つの光導入用孔６４には透明体としての円柱形の強化ガラス６６が、３つの光導入用孔６５には、透明体としての円柱形の強化ガラス６７がそれぞれ嵌め込まれている。このような構成により、左の側壁部１０側では、外部光は、３つの光導入用孔６４内の強化ガラス６６および３つの光導入用孔６５内の強化ガラス６７をそれぞれ透過して隙間６３に入り、さらに、ガラス板６０，６１を透過して骨壷置き台６２の周囲から、間接照明で納骨室８内に導入される。
【００７６】
右の側壁部１１の外壁１８および内壁１９には、図７，図９および図１１に示すように、隙間６３に通じる光導入用孔７４および光導入用孔７５がそれぞれ３つずつ形成されている。３つの光導入用孔７４には円柱形の強化ガラス７６が、３つの光導入用孔７５には円柱形の強化ガラス７７がそれぞれ嵌め込まれている。このような構成により、右の側壁部１１側では、外部光は、３つの光導入用孔７４内の強化ガラス７６および３つの光導入用孔７５内の強化ガラス７７をそれぞれ透過して隙間７３に入り、さらに、ガラス板６０，６１を透過して骨壷置き台６２の周囲から、間接照明で納骨室８内に導入される。
【００７７】
後壁部１２の外壁２１および内壁２２には、図６，図８および図１０に示すように、高さ方向の中間部付近に、納骨室８に通じる光導入用孔８４および光導入用孔８５がそれぞれ３つずつ形成されている。３つの光導入用孔８４には円柱形の強化ガラス８６が、３つの光導入用孔８５には、円柱形の強化ガラス８７がそれぞれ嵌め込まれている。３つの光導入用孔８５のある部分の内壁２２には、内壁２２に近接した位置で遮光板８８が複数の固定ピンなどで固定されている。このような構成により、後壁部１２側では、外部光は、３つの光導入用孔８４内の強化ガラス８６および３つの光導入用孔８５内の強化ガラス８７をそれぞれ透過し、遮光板８８の周囲（骨壷置き台６２の周囲）から間接照明で納骨室８内に導入される。
【００７８】
そして、側壁部１１の光導入用孔７４および光導入用孔７５、側壁部１１の光導入用孔７４および光導入用孔７５、および後壁部１２の光導入用孔８４および光導入用孔８５から導入する外部光は、１０〜３０ルクス程度の明るさになるように、各光導入用孔の大きさを設定してある。
【００７９】
以上のように構成された第２実施形態によれば、上記第１実施形態の奏する作用効果に加えて以下の作用効果を奏する。
【００８０】
○納骨室８の周壁を形成する壁部全体が２重壁構造になっているので、カロート２内部でより一層結露しにくくなり、カロート２内部が結露などで汚れるのを抑制することができる。また、長期間にわたってカロート２内部の美観を保つことができ、故人の霊および自分に対して心のこもった温かみのある内部の美しいカロート２を実現できる。
【００８１】
○真っ暗で冷たいイメージのあるカロート２内部に外部光を間接照明で取り入れることで、カロート２内部がある程度の明るさのある環境になるので、冷たいイメージではなく、故人の霊および自分に対して心のこもった温かみのある内部の美しいカロート２を実現できる。
【００８２】
○各強化ガラス６５，６６，７５，７６，８５，８６は、それぞれ光導入用孔６４，６５，７４，７５，８４，８５を密封するように各光導入用孔にそれぞれ固定されているので、カロート２外部の塵、ほこり、ゴミなどが各光導入用孔からカロート２内部に侵入するのを防止できる。
【００８３】
○側壁部１１の光導入用孔７４および光導入用孔７５、側壁部１１の光導入用孔７４および光導入用孔７５、および後壁部１２の光導入用孔８４および光導入用孔８５から導入する外部光は、１０〜３０ルクス程度の明るさであるので、納骨室８内部に光合成により雑草が生えたりしない。
【００８４】
なお、この発明は以下のように変更して具体化することもできる。
・上記各実施形態では、前蓋１３と共に納骨室８の周壁を形成する左右の側壁部１０，１１および後壁部１２がそれぞれ外壁と内壁とを有する２重壁構造となっている。また、左右の側壁部１０，１１および後壁部１２の外壁と内壁の間には、それぞれ空気層を積極的に設けた３重構造になっている。しかし、本発明は、外壁と内壁の間に空気層を積極的に設けない２重壁構造のカロートにも適用可能である。なお、「外壁と内壁の間に空気層を積極的に設けない２重壁構造」には、外壁と内壁を耐震ボンドのような接着剤で接合する際に、外壁と内壁の間に隙間ができた２重壁構造も含まれる。
・上記各実施形態において、納骨室８の周壁を形成する前蓋１３、左右の側壁部１０，１１および後壁部１２の各外壁は石材で構成し、それらの各内壁は石材以外の素材で構成した２重壁構造のカロートにも本発明は適用可能である。このような構成のカロートによると、内壁として用いる石材以外の素材の種類・材質・色・などを適宜選択することで、カロート内部が優れた美感のあるカロートを実現できると共に、デザイン選択の自由度が増える。
・上記各実施形態において、外壁と内壁の間の空気層に代えて、断熱層として断熱ボードを配置した構成にも本発明は適用可能である。
【図面の簡単な説明】
【００８５】
【図１】第１実施形態に係るカロートを備えた墓の全体を示す斜視図。
【図２】図１に示す墓の中央部に沿った縦断面図。
【図３】図１に示すカロート（墓の墓石と拝石と飾り板を外した状態）の平面図。
【図４】図３のＡ−Ａ矢視断面図。
【図５】図１に示すカロートを示す斜視図。
【図６】第２実施形態に係るカロートを備えた墓の全体を示す斜視図。
【図７】図６のＢ−Ｂ矢視断面図。
【図８】図６のＣ−Ｃ矢視断面図。
【図９】図７のＤ−Ｄ矢視断面図。
【図１０】図６のＥ−Ｅ線に沿った断面図。
【図１１】図７のＦ−Ｆ線に沿った断面図。
【符号の説明】
【００８６】
１…墓、２…カロート、３…墓石、４…拝石、８…納骨室、９…底壁部、
１０，１１…左右の側壁部、１２…後壁部、１３…前蓋、１４…開口部、
１５，１８，２１…外壁、１６，１９，２２…内壁、
１７，２０，２３…空気層、２４…上部の開口部、
２５，２６，２７…飾り板、６４，６５，７４，７５，８４，８５…光導入用孔、６５，６６，７５，７６，８５，８６…強化ガラス。
【図１】
0005382842.tif 000002
【図２】
0005382842.tif 000003
【図３】
0005382842.tif 000004
【図４】
0005382842.tif 000005
【図５】
0005382842.tif 000006
【図６】
0005382842.tif 000007
【図７】
0005382842.tif 000008
【図８】
0005382842.tif 000009
【図９】
0005382842.tif 000010
【図１０】
0005382842.tif 000011
【図１１】
0005382842.tif 000012